(57)【要約】【課題】獣捕獲罠を設置するとき、仕掛ける罠に応じた穴が簡単に掘れ、掘削部内に圧入された土も素早く除去でき、携帯に便利な穴掘り器を提供する。【解決手段】小さい径の円筒体を穴掘り器本体１２としその一方の側に剣形スコップ３がスライド開閉する小さい径の穴を掘るための掘削部を形成し、もう一方の側に大きい穴を掘るための先端縁に鋸歯状１５の切り込みを施した鋸歯付きドーナツ型円筒体１４を固定し、穴掘り器本体１２の両端に穴を貫通しソフトハンマー付きハンドルを、使用する側の穴掘り器に応じてそれぞれの穴に貫設することで二種類の穴を掘ることができる。またソフトハンマー付きハンドルを土の除去に使用する。【選択図】図３
2006057441.tif 000002
【特許請求の範囲】
【請求項１】
円筒体先端縁の半分に鋸刃状１を施しその対面縁に溝２を切りその下部の少し下から溝２を中央として半円形に切り取り続けてその下部を浅く短い半円形で切り取って両側に軸４を突起固定しその下部中央に皿穴を開け元部にソフトハンマー付きハンドル７を貫設する穴６を貫通し元部の切断面の中央に左右対称の穴を開けた長方形の金属板９を固定した穴掘り器本体１２に前記円筒体より若干径の大きい半円筒体で一端縁を剣形に形成した半円形の剣型スコップ３を形成しその先部の内側にホゾ５を設け先部より少し広く形成した元部の両側に左右対称のF字型溝１０を施しその中央下部に穴を開けそれに合わせてナット１１を外側に固定しボルト１７を取り付けた剣型スコップ３をそれに施したF字型溝１０に軸４を介して穴掘り器本体１２にスライド装着し溝２にホゾ５を挿入した状態でボルト１７を締めて固定しソフトハンマー付きハンドル７を穴６に貫設することを特徴とする穴掘り器。
【請求項２】
円筒体の切断面の一端縁に鋸歯１５を施しもう一端縁の中央に金属板１３を固定しその中心に先縁に鋸歯を施した前記円筒体より径の小さい円筒体を取り付けた鋸歯付きドーナツ型円筒体１４を穴掘り器本体１２の円の中心と鋸歯付きドーナツ型円筒体１４の円の中心が一致した状態で金属板９と金属板１３を重ね合わせ金属板１３と金属板９の同位置に同径の穴を開け穴掘り器本体１２と鋸歯付きドーナツ型円筒体１４をボルト、ナット１６で固定し剣型スコップの中央に穴８を貫通しソフトハンマー付きハンドル７を穴８に貫設することを特徴とする穴掘り器。    
【発明の詳細な説明】
【技術分野】
【０００１】
本発明は、山野において獣捕獲罠を設置するとき地面に所定の穴を掘る穴掘り器の改良に関するものである。
【背景技術】
【０００２】
従来の穴掘り器は複式ショベルにハンドルを取り付けたもの、あるいは柄の下部に形成された固定刃にピンを介して可動刃を取り付けて開閉するもの。火持ち鋏型の元部にハンドルを貫設したものなどある。
【特許文献１】特公平１０−０３３０１５号公報
【特許文献２】特開２０００−２８２５０２号公報
【特許文献３】特開２０００−３０３４８９号公報
【発明の開示】
【発明が解決しようとする課題】
【０００３】
山野においても楽に携帯できシンプルな構造で獣捕獲罠の本体を設置する径の小さい穴用と踏み板の下部に掘る径の大きい穴用の二つの掘削部を持ちしかも圧入された土が楽に排出できる。
【課題を解決するための手段】
【０００４】
小さい径の円筒体を穴掘り器本体としその一方の側に先部が剣型でスライド開閉する小さい径の穴を掘るための掘削部を形成し、もう一方の側に大きい穴を掘るためのドーナツ型に形成した先端縁に鋸歯状の切り込みを施した円筒体を固定し、穴掘り器本体の両端に穴を貫通しソフトハンマー付きハンドルを、使用する側の穴掘り器に応じてそれぞれの穴に貫設することで二種類の穴を掘ることができる。またソフトハンマー付きハンドルを土の除去に使用する。
【発明の効果】
【０００５】
本発明はシンプルな形状で携帯しやすく、簡単に罠に適した穴が掘れ、その上掘削部がスライド開閉するので土の排出が楽で、ドーナツ型の掘削部の土もハンドルで押し出すと簡単に排出でき従来のものと比較するとその作業性はすこぶる向上し、また周りを踏み荒らさず、土もこぼれずきれいな穴が掘れ獣類に罠の位置を悟られないので捕獲率も大幅にアップする。
【発明を実施するための最良の形態】
【０００６】
穴掘り器本体１２は例えば外径約43mm、厚み１mmから２mm、長さ約５０cmのステンレスパイプの一端縁に縦横ともに約５mmの溝を切りその対面縁の半分に鋸歯状１を施し、溝を中央にしてその下２cmの位置から約半分の径で約２７cmの半円形を切り取り、続けて前回より小さい径で約４cmの半円筒形を切り取ってその中央下部約１cmの位置に５mmの皿穴を開けもう一端の切断面の中央に例えば幅３cm長さ約１４ｃｍ厚み３mmの金属板９を溶着しそれより約５cm手前の位置に約１５mmの穴６を貫通し穴掘り器本体１２とする。また前記円筒体より少し径の大きい例えば外径が４８mm厚み１mmから２mm長さ約２６cmのステンレスパイプを半分の径より少し小さく約１９cmの長さで切りつづけて半分の径より少し大きく縦に切断して細い方の先端を剣形に形成してもう一端の大きい方の両側に左右対称のF字型溝１０を開けて剣形スコップ３を形成し剣先約１cm手前中央に４mm径のボルト穴をタッピングして内側からボルトをねじ込み５mmほど間を空けた状態で外側からボルトを溶着し前記穴掘り器本体１２に施した溝２にボルトを合わせ挿入して穴掘り器本体１２の切り取り部を剣形スコップ３で被い隠す様に穴掘り器本体１２に固定した状態でF字型溝１０の間の中央下部に前記穴掘り器本体１２に開けた皿穴と同じ位置関係で９mmの穴を開けその穴に合わせて８mmナット１１を外側に溶着して８mmボルト１７を取り付ける。また剣形スコップ３の両側に開けたF字型溝１０の先部側の端位置でそれに接した穴掘り器本体１２側に５mmのボルト穴をタッピングしてボルトをねじ込み軸４として剣形スコップが可動する状態で内側よりボルトを溶着し剣形スコップ３をそれに施したF字型溝１０と軸４で穴掘り器本体１２に取り付け溝２に剣形スコップ３をそれに取り付けたボルト５で合わせ後方にスライドしてボルト１７を締めソフトハンマー付きハンドル７を穴６に貫設して小さい穴を掘るのに使用する。また前記より大きい円筒体例えば外径が約１４ｃｍで厚みが１mmから２mm長さ約１０cmのステンレスパイプの一端縁に鋸歯状１５を施しもう一端縁の中央に例えば幅３cm長さ約１４ｃｍ厚み３mmの金属板１３を溶着しその内側の中心に円筒体例えば外径約５cm厚み１mmから２mm長さ１１cmのステンレスパイプの一端縁に鋸歯状１８を施し５cmの円筒体部分を残し縦に４分割して一つの対面部分を切り取った残りの部分の両端を溶着して金属板１３を穴掘り器本体１２に取り付けた金属板９と合致させ両側に穴を貫通してボルト、ナット１６で固定し剣型スコップ３を穴掘り器本体１２に固定した状態でその中央に穴８を貫通しソフトハンマー付きハンドル７を貫設して大きい穴を掘るのに使用する。
【実施例１】
【０００７】
図１は、剣形スコップ３を穴掘り器本体１２に固定して掘削可能状態にした穴掘り器を示す側面全体図であって、この状態でソフトハンマー付きハンドル７を穴６に貫設して先部を地面に突き立て体重をかけながら廻すと先部が地中にねじ込まれ掘削部内に土が圧入される。後は逆方向にソフトハンマー付きハンドル７を廻しながら引き抜けば地面に円筒型の穴を掘ることができる。
【実施例２】
【０００８】
図２は、剣形スコップ３を開放した状態の穴掘り器を示す側面全体図であって、掘削部内に圧入された土は、剣形スコップ３のボルト１７をゆるめ前方にスライド開放し数回振れば排除できる。土質によっては内側に付着する場合もあり、その時はソフトハンマー付きハンドル７のハンマー部で軽く掘削部を叩くと土は簡単に除去できる。
【実施例３】
【０００９】
図３は、（a）鋸歯付きドーナツ型円筒体を穴掘り器本体に取り付けた全体図であって、径の大きい穴を掘る時穴掘り器本体１２の元に取り付けた金属板９とドーナツ型円筒体に取り付けた金属板１３とをボルト、ナット１６で固定しソフトハンマー付きハンドル７を剣形スコップに貫通した穴８に貫設して使用する。（ｂ）鋸歯付きドーナツ型円筒体１４の断面図であって、円筒体の中心に径の小さい円筒型の芯を取り付けることで土の圧入力を高め土がこぼれ落ちるのを防ぐ。              
【図面の簡単な説明】
【００１０】
【図１】剣形スコップを閉じて掘削可能状態にした穴掘り器を示す側面全体図である。（実施例１）
【図２】剣形スコップを開放した状態の穴掘り器を示す側面全体図である。（実施例２）
【図３】（a）は鋸歯付きドーナツ型円筒体を穴掘り器本体に取り付けた全体図   (b)は鋸歯付きドーナツ型円筒体の断面図である。（実施例３）
【符号の説明】
【００１１】
（１）鋸歯状
（２）溝
（３）剣形スコップ
（４）軸
（５）ホゾ
（６）穴
（７）ソフトハンマー付きハンドル
（８）穴
（９）金属板
（１０）F字型溝
（１１）ナット
（１２）穴掘り器本体
（１３）金属板
（１４）鋸歯付きドーナツ型円筒体
（１５）鋸歯状
（１６）ボルト、ナット
（１７）ボルト
（１８）鋸歯状
【図１】
2006057441.tif 000003
【図２】
2006057441.tif 000004
【図３】
2006057441.tif 000005